(57)【要約】【課題】テレビジョン受像機の製造工程において，作業者の手間を極力要さずに，メモリディスク（着脱式のデータ記録メディア）の装置内への残留（取り出し忘れ）を防止できること。【解決手段】所定の初期化開始操作に応じて，ＥＥＰＲＯＭ４ｃに記憶される調整パラメータを出荷時の初期値に初期化する際に，前記初期化開始操作に応じて，ディスクドライブ９におけるメモリディスク１０の残留有無を確認し，メモリディスク１０の残留が確認された場合に，ディスクドライブ９にメモリディスク１０の自動排出を実行させるとともに，液晶パネル１５及びスピーカ２５により，メモリディスク１０の自動排出についての画像による通知及び音による通知を行う。【選択図】図１
2010088026.tif 000002
【特許請求の範囲】
【請求項１】
画像データが記録される着脱式のデータ記録メディアを収容してその記録データを読み出す機能及び該データ記録メディアの自動排出機能を有するデータ記録メディアドライブ手段と，該データ記録メディアドライブ手段により読み出される前記画像データに基づく画像を表示する画像表示手段と，所定の調整パラメータが記憶されるパラメータ記憶手段と，を具備してなるテレビジョン受像機であって，
前記データ記録メディアドライブ手段における前記データ記録メディアの残留有無を検知するメディア残留有無検知手段と，
所定の操作部に対する予め定められた初期化開始操作に応じて，前記調整パラメータを出荷時の初期値に初期化する出荷前初期化手段と，
前記初期化開始操作に応じて，前記メディア残留有無検知手段の検知結果により前記データ記録メディアの残留有無を確認する出荷前メディア残留有無確認手段と，
前記出荷前メディア残留有無確認手段の処理により前記データ記録メディアの残留が確認された場合に，前記データ記録メディアドライブ手段に前記データ記録メディアの自動排出を実行させる出荷前メディア自動排出制御手段と，
前記出荷前メディア残留有無確認手段の処理により前記データ記録メディアの残留が確認された場合に所定の通知を行う出荷前メディア自動排出通知手段と，
を具備してなることを特徴とするテレビジョン受像機。
【請求項２】
前記出荷前メディア自動排出通知手段が，前記画像表示手段を通じて通知画像を表示させる処理及びスピーカを通じて通知音を出力させる処理の両方を行うものである請求項１に記載のテレビジョン受像機。
【発明の詳細な説明】
【技術分野】
【０００１】
本発明は，データ記録メディアのドライブ手段を備えたテレビジョン受像機に関するものである。
【背景技術】
【０００２】
昨今，液晶テレビジョン受像機に代表されるテレビジョン受像機は，着脱式のデータ記録メディアに対するデータの記録や読み出しを行うデータ記録メディアドライブ装置を内蔵するものがある。前記データ記録メディアは，例えば，ＤＶＤ（Digital Versatile Disc）やブルーレイディスク等のメモリディスクや，カード型のフラッシュメモリ等のメモリカード等である。特に，ブルーレイディスク等のメモリディスクは，その記憶容量が大きいため，データサイズの大きな画像データ（特に，動画データ）の記録媒体として適しており，メモリディスクドライブ装置を内蔵するテレビジョン受像機が広く普及しつつある。
一般に，メモリディスクのドライブ装置は，メモリディスクを収容してその記録データを読み出す機能に加え，そのメモリディスクの自動排出機能を備えている。
【０００３】
ところで，メモリディスクドライブ装置を内蔵するテレビジョン受像機は，その製造工程において，そのメモリディスクドライブ装置に調整用又は検査用の画像データが記録されたメモリディスクがセットされ，その画像データに基づく画像を映像表示部に表示させつつ，各種の調整又は検査が行われることが多い。
一方，特許文献１には，磁気テープカセットへのデータ記録開始操作がなされたときに，その磁気テープカセットにおける誤消去防止用のツメが誤消去防止側にセットされた状態を検知すれば，その磁気テープカセットを自動排出する磁気記録再生装置について示されている。
【特許文献１】実開昭６０−１２０５４３号公報
【発明の開示】
【発明が解決しようとする課題】
【０００４】
ところで，テレビジョン受像機が，そのメモリディスクドライブ装置に調整用又は検査用のメモリディスクが残留したままの状態で出荷されると，ユーザの不信感を招くことになるので，そのような事態は是非とも避けたい。
そこで，メモリディスクを用いるテレビジョン受像機の調整又は検査の工程において，その調整処理又は検査処理の終了を検知し，その終了を検知したときにメモリディスクを自動排出させることが考えられる。
しかしながら，テレビジョン受像機の製造工程における各種調整や検査の工程では，作業者により，状況に応じて再検査等の例外的作業が行われる場合もあり，そのような場合にメモリディスクの残留（取り出し忘れ）が発生し得るという問題点があった。
また，テレビジョン受像機の製造工程においては，所定の初期化プログラムを実行することにより，内蔵メモリに記憶される各種の調整パラメータの初期化処理を行うパラメータ初期化工程が，出荷前の最終検査工程として設けられる場合が多い。そこで，前記初期化プログラムに，メモリディスクドライブ装置にメモリディスクが残留しているか否かをチェックし，メモリディスクが残留している場合には前記調整パラメータの初期化処理を開始しない処理ロジックを組み込むことも考えられる。
しかしながら，そのようにしても，作業者が，前記調整パラメータの初期化処理が開始されない原因を判断し，メモリディスクの排出操作を行う無駄な作業が発生するという問題点が残る。
従って，本発明は上記事情に鑑みてなされたものであり，その目的とするところは，テレビジョン受像機の製造工程において，作業者の手間を極力要さずに，メモリディスク（着脱式のデータ記録メディア）の装置内への残留（取り出し忘れ）を防止できるテレビジョン受像機を提供することにある。
【課題を解決するための手段】
【０００５】
上記目的を達成するために本発明に係るテレビジョン受像機は，次の（１）〜（８）に示される各構成要素を備えた装置である。
（１）画像データが記録される着脱式のデータ記録メディアを収容してその記録データを読み出す機能及びそのデータ記録メディアの自動排出機能を有するデータ記録メディアドライブ手段。
（２）前記データ記録メディアドライブ手段により読み出される前記画像データに基づく画像を表示する画像表示手段。
（３）所定の調整パラメータが記憶されるパラメータ記憶手段と，を具備してなるテレビジョン受像機であって，
（４）前記データ記録メディアドライブ手段における前記データ記録メディアの残留有無を検知するメディア残留有無検知手段。
（５）所定の操作部に対する予め定められた初期化開始操作に応じて，前記調整パラメータを出荷時の初期値に初期化する出荷前初期化手段。
（６）前記初期化開始操作に応じて，前記メディア残留有無検知手段の検知結果により前記データ記録メディアの残留有無を確認する出荷前メディア残留有無確認手段。
（７）前記出荷前メディア残留有無確認手段の処理により前記データ記録メディアの残留が確認された場合に，前記データ記録メディアドライブ手段に前記データ記録メディアの自動排出を実行させる出荷前メディア自動排出制御手段。
（８）前記出荷前メディア残留有無確認手段の処理により前記データ記録メディアの残留が確認された場合に所定の通知を行う出荷前メディア自動排出通知手段。
ここで，前記出荷前初期化手段を通じて前記調整パラメータを出荷時の初期値に初期化する処理は，通常，出荷前の最終検査工程において実行される処理である。
【０００６】
本発明に係るテレビジョン受像機は，その製造の際の最終検査工程において前記調整パラメータの初期化処理を実行する際に，前記データ記録メディアドライブ手段に前記データ記録メディアが残留しているか否かを確認し，前記データ記録メディアの残留が確認された場合には，そのデータ記録メディアの自動排出と，そのことを作業者に気付かせるための通知とを行う。
これにより，当該テレビジョン受像機の製造工程において，作業者が，前記調整パラメータの初期化処理が開始されない原因を判断したり，前記データ記録メディアの排出操作を行う等の無駄な作業を要することなく，着脱式の前記データ記録メディアの装置内への残留（取り出し忘れ）を防止できる。
また，前記出荷前メディア自動排出通知手段が，前記画像表示手段を通じて通知画像を表示させる処理及びスピーカを通じて通知音を出力させる処理の両方を行うものであればなお好適である。
これにより，前記データ記録メディアの自動排出が行われたことの通知が，作業者の視覚及び聴覚のいずれによっても認知されるので，自動排出された前記データ記録メディアの除去作業がより確実に行われる。
【発明の効果】
【０００７】
本発明によれば，テレビジョン受像機の製造工程において，作業者の手間を極力要さずに，メモリディスク等の着脱式のデータ記録メディアの装置内への残留（取り出し忘れ）を防止できる。
【発明を実施するための最良の形態】
【０００８】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は本発明の実施形態に係るテレビジョン受像機Ｘの概略構成を表すブロック図，図２はテレビジョン受像機Ｘにおける調整パラメータ初期化処理の手順を表すフローチャート，図３はテレビジョン受像機Ｘにおける残留メモリディスク排出通知の画面の一例を表す図。
【０００９】
まず，図１に示されるブロック図を参照しつつ，本発明の実施形態に係るテレビジョン受像機Ｘの構成について説明する。
図１に示すように，テレビジョン受像機Ｘは，液晶テレビジョン受像機であり，複数のチューナ１，外部信号入力部２，復調・分離回路３，映像復号回路１１，映像選択回路１２，映像処理回路１３，液晶ドライバ１４，液晶パネル１５，調光回路１６，バックライト１７，音声復号回路２１，音声選択回路２２，音声処理回路２３，アンプ２４，スピーカ２５，制御回路４，リモコン受光部６，リモコン７，録画・再生回路８及びディスクドライブ９等を備えている。
【００１０】
前記チューナ１は，入力されたテレビジョン放送信号から放送中のコンテンツ（放送コンテンツ）の信号を抽出する電子部品である。より具体的には，前記チューナ１は，前記制御回路４により選択を指示された放送番組の信号が含まれる搬送波周波数成分の信号を抽出し，その抽出信号を後段の復調・分離回路３に伝送する。なお，前記チューナ１は，放送媒体（地上波，ＢＳ，ＣＳ等）ごとに個別に設けられる。
前記復調・分離回路３は，前記チューナ１から伝送されてきた搬送波周波数成分からトランスポートストリーム信号（Transport Stream信号：以下，ＴＳ信号）を復調する。さらに，前記復調・分離回路３は，抽出されたＴＳ信号から，視聴される放送番組に対応した映像信号及び音声信号，並びに付加データ等を分離して抽出する。さらに，前記復調・分離回路３は，前記制御回路４から受けたＰＩＤ（Packet IDentification)に応じて，視聴対象となる放送番組の映像信号及び音声信号を抽出し，各信号を前記映像復号回路１１及び前記音声復号回路２１それぞれに伝送する。
また，前記復調・分離回路３は，ＴＳ信号から，付加データであるＳＩ（Service Information）等を抽出して前記制御回路４に伝送する。このＳＩは，ＥＰＧ（電子番組ガイド）の情報（例えば，番組名，番組のジャンル，放送時間等を示す情報）が多重化されたデータである。
【００１１】
また，前記外部信号入力部２は，外部装置から映像信号及び音声信号を入力する信号入力インターフェースである。
また，前記ディスクドライブ９は，ＤＶＤ又はブルーレイディスク等の着脱式のデータ記録メディアであるメモリディスク１０がセットされ，そのメモリディスク１０に対してデータの読み書きを行う装置である。その際，前記ディスクドライブ９は，セットされた前記メモリディスク１０をモータ（サーボモータ）により速度可変に回転させつつ，その回転速度に応じた速度でそのメモリディスク１０に記録されたデータにアクセスする。
即ち，前記ディスクドライブ９は，前記メモリディスク１０を収容してその記録データを読み出す機能と，前記メモリディスク１０に対して録画データを記録する機能とを備えている。さらに，前記ディスクドライブ９は，その装置内に収容されている前記メモリディスク１０を装置外へ自動排出するディスク自動排出機能と，装置内に前記メモリディスク１０が収容されているな否か（残留しているか否か）を検知するディスク有無検知機能とを備えている。これら各機能を実現する構成は，周知であるのでここでは説明を省略する。
なお，前記ディスクドライブ９は，前記ディスク有無検知機能による検知結果を前記制御回路４に対して出力する。また，前記ディスクドライブ９は，前記制御回路４からの制御指令に従って，前記ディスク自動排出機能による前記メモリディスク１０の自動排出を実行する。
【００１２】
また，前記録画・再生回路８は，前記ディスクドライブ９に対して前記メモリディスク１０の回転速度（モータ回転速度）の指令を出力する処理と，コンテンツの録画処理及びコンテンツの再生処理とを実行する回路である。
例えば，前記録画・再生回路８は，前記映像選択回路１２から出力される映像信号及び前記音声選択回路２２から出力される音声信号に基づいて，コンテンツの録画処理を行う。その際，前記録画・再生回路８は，入力信号からコンテンツのデータ（録画データ）を生成し，そのデータを前記ディスクドライブ９を通じて前記メモリディスク１０（データ記録メディアの一例）に記録する。録画対称となるコンテンツは，前記チューナ１により得られる放送番組のコンテンツ（放送コンテンツ），又は前記外部信号入力部２を通じて入力されるコンテンツである。
さらに，前記録画・再生回路８は，前記ディスクドライブ９を通じて前記メモリディスク１０からコンテンツのデータ（画像データを含む録画データ）を読み出しつつ，そのコンテンツの再生信号を生成するコンテンツ再生処理を実行する。前記再生信号は，コンテンツの再生映像の信号（映像信号）及び再生音声の信号（音声信号）であり，再生信号における映像信号は前記映像選択回路１２へ，再生信号における音声信号は前記音声選択回路２２へ伝送される。
これにより，前記バックライト１７によって照明された前記液晶パネル１５（画像表示手段の一例）において，前記ディスクドライブ９により読み出される画像データ（録画データの一部）に基づく画像（映像）が表示される。
また，前記アンプ２４により，放送番組等のコンテンツの音声信号が増幅され，増幅後の音声信号が前記スピーカ２５に供給される。
また，前記録画・再生回路８は，コンテンツの録画処理を行いつつ，その録画中のコンテンツのデータ（録画データ）に基づく再生処理，いわゆるタイムシフト再生処理も実行できる。
【００１３】
また，前記映像復号回路１１は，前記復調・分離回路３から伝送される映像信号を復号し，復号した映像信号を前記映像選択回路１２に伝送する。同様に，前記音声復号回路２１は，前記復調・分離回路３から伝送される音声信号を復号し，復号した音声信号を前記音声選択回路２２に伝送する。
前記映像選択回路１２は，前記制御回路４からの制御指令に従って，入力される複数のコンテンツの映像信号の中から，１つ又は複数の映像信号を選択して前記映像処理回路１３へ伝送する。また，前記映像選択回路１２は，入力される複数のコンテンツの映像信号の中から，１つの映像信号を選択して前記録画・再生回路８へ伝送する。この映像選択回路１２に入力される信号には，前記映像復号回路１１を通じて入力される放送番組のコンテンツ（放送コンテンツ）の映像信号と，前記外部信号入力部２を通じて入力される外部入力コンテンツの映像信号と，前記録画・再生回路８を通じて入力される再生コンテンツの映像信号とが含まれる。
【００１４】
また，前記映像処理回路１３は，前記制御回路４からの制御指令に従って，コンテンツの画像を前記液晶パネル１５に表示させるために前記液晶ドライバ１４に供給するフレーム画像信号を生成する。
例えば，前記映像処理回路１３は，前記制御回路４からの制御指令に従って，１つ又は複数のコンテンツの画像が全表示領域の中でレイアウトされた表示用のフレーム画像信号を生成する。即ち，前記映像選択回路１２は，１つのコンテンツの画像が全表示領域に渡って，或いは一部の表示領域のみに表示されるフレーム画像信号や，複数のコンテンツの画像が並べて配列されて表示されるフレーム画像信号等を生成する。
【００１５】
前記液晶ドライバ１４は，前記映像処理回路１３から所定周期で順次伝送されてくる前記フレーム画像信号に基づいて前記液晶パネル１５を制御し，そのフレーム画像信号に対応する１フレーム分（１コマ）の画像を前記液晶パネル１５に順次表示させる回路である。
また，前記液晶パネル１５は，前記液晶ドライバ１４による制御に応じて，前記フレーム画像信号に対応する画像（映像）を表示する。
また，前記バックライト１７は，前記液晶パネル１５の背面側に配列された複数の光源の光により，前記液晶パネル１５の表示領域を背面側から照明するものである。前記バックライト１７における複数の光源は，例えば，蛍光管やＬＥＤ等である。
また，前記調光回路１６は，前記制御回路４からの制御指令に従って，前記バックライト１７の光源に対する供給電力を調節することにより，前記バックライト１７の発光の明るさを調節する回路である。
【００１６】
前記音声復号回路２１は，前記復調・分離回路３から伝送されてくる音声信号を復号し，復号した音声信号を前記音声選択回路２２に伝送する。
前記音声選択回路２２は，前記制御回路４からの制御指令に従って，入力される複数の音声信号の中から１つの音声信号を選択して前記音声処理回路２３へ伝送する回路である。また，前記音声選択回路２２は，前記制御回路４からの制御指令に従って，入力される複数の音声信号の中から１つの音声信号を選択して前記録画・再生回路８へ伝送する処理も実行する。前記音声選択回路２２に入力される音声信号には，前記チューナ１により選局された放送番組のコンテンツの音声信号（前記音声復号回路２１を通じて入力される音声信号）と，前記外部信号入力部２を通じて入力される音声信号と，前記録画・再生回路８を通じて入力される再生コンテンツの音声信号とが含まれる。
前記音声処理回路２３は，前記制御回路４からの指示に従って，前記音声選択回路２２により選択された音声信号に対して各種信号処理を行うものである。例えば，前記スピーカ２５の特性に合わせたイコライズ処理や，サラウンド処理等を行う。
前記アンプ２４は，前記音声処理回路２３による処理後の音声信号を，前記制御回路４からの指示に従って増幅させるとともに，その増幅ゲインを調節する音量調節処理を行い，処理後の音声信号を前記スピーカ２５に出力するものである。前記アンプ２４は，例えばデジタルアンプである。
【００１７】
前記リモコン受光部６は，当該テレビジョン受像機Ｘの操作用のリモコン７（リモート操作器）から，所定の信号伝送プロトコル（いわゆるリモコンプロトコル）に従って，赤外線による無線信号受信を行う信号伝送インターフェースである。そして，前記リモコン受光部６は，赤外線信号から前記リモコン７に対する操作入力情報を表す信号を抽出し，その信号を前記制御回路４に伝送する。
【００１８】
前記制御回路４は，演算手段であるＭＰＵ４ａ，記憶手段であるＲＯＭ４ｂ（ＥＰＲＯＭ）及びＥＥＰＲＯＭ４ｃを備え，前記ＭＰＵ４ａが，制御プログラムを実行することによって当該テレビジョン受像機Ｘ全体を制御する。
前記ＲＯＭ４ｂには，前記ＭＰＵ４ａによって実行される制御プログラムが予め格納されている。また，前記ＥＥＰＲＯＭ４ｃには，前記ＭＰＵ４ａが実行する処理において読み書き（参照又は書き込み）される各種データが記憶される。
例えば，前記ＥＥＰＲＯＭ４ｃ（パラメータ記憶手段の一例）には，例えば，ユーザによる調整が可能なパラメータである映像の明るさ，映像の黒色のレベル，映像のコントラスト等の画質調整のパラメータや，音量調整のパラメータの他，チャンネルの設定や時計設定のパラメータ等の調整パラメータが記憶される。この調整パラメータは，当該テレビジョン受像機Ｘの出荷時に，前記ＭＰＵ４ａが実行するパラメータ初期化処理（後述）によって所定の初期値に初期化される。
また，前記制御回路４は，例えば，前記リモコン７及び前記リモコン受光部６を通じてチャンネル選局や音量調節の情報を取得し，その取得情報の内容に応じて前記チューナ１に対する選局指示や前記アンプ２４に対する音量調節指示を出力する。
なお，以降の説明において，前記制御回路４が実行する処理は，前記ＭＰＵ４ａが前記ＲＯＭ４ｂに記憶された制御プログラムを実行することによって実現される。
【００１９】
また，前記制御回路４は，前記復調・分離回路３により抽出されたＳＩに基づいて，現在放送中のコンテンツ（番組）及びこれから放送予定のコンテンツの内容に関する情報であるＥＰＧ情報（電子番組ガイド情報）を取得する。そのＥＰＧ情報は，前記ＥＥＰＲＯＭ４ｃに記録される。
前記ＥＰＧ情報には，放送番組のコンテンツのタイトル（番組名），放送媒体の種類（地上波，ＢＳ，ＣＳ等）及び放送チャンネル，放送開始日時及び放送終了日時，コンテンツのジャンル（ニュース，ワイドショー等），出演者等の情報が含まれている。
そして，前記録画・再生回路８は，放送番組のコンテンツの録画処理の際に，録画対象のコンテンツに関する前記ＥＰＧ情報（タイトル，ジャンル等）を，前記制御回路４から取得して録画データ（コンテンツのデータ）とともに前記メモリディスク１０に記録する。
また，前記録画・再生回路８は，コンテンツの再生処理の際に，再生対象の録画データ（コンテンツのデータ）とともに前記メモリディスク１０に記録されている前記ＥＰＧ情報を読み出し，これを前記制御回路４に伝送する。
【００２０】
次に，図２に示されるフローチャートを参照しつつ，前記制御回路４の前記ＭＰＵ４ａ（出荷前初期化手段の一例）によって実行されるパラメータ初期化処理について説明する。
前記パラメータ初期化処理は，前記ＥＥＰＲＯＭ４ｃに記憶される前記調整パラメータを出荷時の初期値に初期化する処理である。
前記ＭＰＵ４ａは，前記リモコン７に対して予め定められた初期化開始操作が行われたことを前記リモコン受光部６を通じて検知した場合に，図２に示されるパラメータ初期化処理を実行する。前記初期化開始操作は，一般ユーザに開示されていない特殊操作であり，例えば，複数の操作ボタンの同時押下操作などである。
前記パラメータ初期化処理は，当該テレビジョン受像機Ｘの出荷前の最終検査工程において，作業者により行われる前記初期化開始操作に応じて実行される。
なお，以下の説明において，Ｓ１，Ｓ２，…は，処理手順（ステップ）の識別符号を表す。
【００２１】
前記ＭＰＵ４ａは，前記初期化開始操作を検知すると，その検知に応じて，前記ディスクドライブ９に前記メモリディスク１０が残留しているか否かを判別する（Ｓ１，出荷前メディア残留有無確認処理）。この判別（前記メモリディスク１０の残留有無の確認）は，前記ディスクドライブ９が備える前記ディスク有無検知機能（メディア残留有無検知手段の一例）の検知結果に基づいて行われる。
そして，前記メモリディスク１０が残留していない場合，前記ＭＰＵ４ａは，後述するステップＳ２，Ｓ３の処理をスキップし，前記ＥＥＰＲＯＭ４ｃに記憶される前記調整パラメータを，出荷時の初期値に初期化する出荷前初期化処理を実行する（Ｓ４）。なお，前記初期値は，随時更新され得る前記調整パラメータとは別に，予め前記ＥＥＰＲＯＭ４ｃに記憶されている。
さらに，前記ＭＰＵ４ａは，前記出荷前初期化処理が完了すると，その旨の通知を（完了通知）を実行し（Ｓ５），当該パラメータ初期化処理を終了させる。
前記出荷前初期化処理の完了通知は，例えば，前記ＭＰＵ４ｃが前記音声処理回路２３を制御することにより，所定の通知音（ビープ音等）を前記スピーカ２５を通じて出力させる通知や，前記映像処理回路１３を制御することにより，所定のメッセージを前記液晶パネル１５を通じて出力させる通知等が考えられる。
【００２２】
一方，ステップＳ１において，前記メモリディスク１０の残留が確認されると，前記ＭＰＵ４ａは，そのメモリディスク１０を自動排出する旨を表す通知（以下，残留メモリディスク排出通知という）を行う（Ｓ２，出荷前メディア自動排出通知処理）。
さらに，前記ＭＰＵ４ａは，前記ディスクドライブ９に対し，残留している前記メモリディスク１０の自動排出を実行させる（Ｓ３，出荷前メディア自動排出制御）。
このように，前記ＭＰＵ４ａは，前記出荷前メディア残留有無確認処理（Ｓ１）により前記メモリディスク１０の残留を確認した場合に，前記残留メモリディスク排出通知の処理（Ｓ２）と，前記ディスクドライブ９に対して前記メモリディスク１０の自動排出を実行させる制御（Ｓ３）とを行う。
これにより，当該テレビジョン受像機Ｘの製造工程において，作業者が，前記メモリディスク１０の残留に起因して，前記調整パラメータの初期化処理（Ｓ４）が開始されない原因を判断したり，前記メモリディスク１０の排出操作を行う等の無駄な作業を要することなく，着脱式の前記メモリディスク１０の装置内への残留（取り出し忘れ）を防止できる。
その上で，前記ＭＰＵ４ａは，前述した出荷前初期化処理（Ｓ４）と，その完了の通知（Ｓ５）とを実行し，当該パラメータ初期化処理を終了させる。このように，前記ＭＰＵ４ａは，前記初期化開始操作の検知に応じて，前記調整パラメータを出荷時の初期値に初期化する前記出荷前初期化処理（Ｓ４）と，その完了通知（Ｓ５）とを実行する。
【００２３】
図３は，ステップＳ３で実行される残留メモリディスク排出通知の画面の一例を表す図である。
図３に示されるように，前記ＭＰＵ４ａは，残留メモリディスク排出通知の処理（Ｓ２）において，前記液晶パネル１５（画像表示手段の一例）を通じて，前記メモリディスク１０の自動排出を通知する画像ｇ１を表示させる。その通知画像ｇ１は，前記ＭＰＵ４ａが前記映像処理回路１３に通知メッセージを出力することにより，前記映像処理回路１３によって生成及び出力される画像である。
それと併せて，前記ＭＰＵ４ａは，前記音声処理回路２３を制御することにより，前記スピーカ２５を通じて所定の通知音を出力させる。
このように，画像による通知と音による通知との両方が行われるので，その通知が，作業者の視覚及び聴覚のいずれによっても認知される。その結果，自動排出された前記メモリディスク１０の除去作業がより確実に行われる。
【産業上の利用可能性】
【００２４】
本発明は，テレビジョン受像機に利用可能である。
【図面の簡単な説明】
【００２５】
【図１】本発明の実施形態に係るテレビジョン受像機Ｘの概略構成を表すブロック図。
【図２】テレビジョン受像機Ｘにおける調整パラメータ初期化処理の手順を表すフローチャート。
【図３】テレビジョン受像機Ｘにおける残留メモリディスク排出通知の画面の一例を表す図。
【符号の説明】
【００２６】
Ｘ    ：テレビジョン受像機
１    ：チューナ
２    ：外部信号入力部
３    ：復調・分離回路
４    ：制御回路
６    ：リモコン受光部
７    ：リモコン
８    ：録画・再生回路
９    ：ディスクドライブ
１０  ：メモリディスク
１１  ：映像復号回路
１２  ：映像選択回路
１３  ：映像処理回路
１４  ：液晶ドライバ
１５  ：液晶パネル
１６  ：調光回路
１７  ：バックライト
２１  ：音声復号回路
２２  ：音声選択回路
２３  ：音声処理回路
２４  ：アンプ
２５  ：スピーカ
Ｓ１，Ｓ２，…：ステップ（処理手順）
【図１】
2010088026.tif 000003
【図２】
2010088026.tif 000004
【図３】
2010088026.tif 000005